(57)【要約】【課題】  ピッチキープコードによりプリーツスクリーンの開閉性が低下することを防止すると共に、ツインタイプのプリーツスクリーンの中間レールが後傾することを防止する。【解決手段】  ピッチキープコードの上端部をヘッドレール又は中間レールの底面又は後面に装着されるコード用端子に止着し、 ヘッドレール又は中間レールにピッチキープコード用ガイドを取り付け、そのピッチキープコード用ガイドにより、ピッチキープコードがスクリーン材の後面プリーツの稜線に近接して垂下するように案内する。【選択図】      図１
2005336824.tif 000002
【特許請求の範囲】
【請求項１】
ヘッドレールと、前記ヘッドレールからボトムレール用昇降コードを介して昇降可能に吊り下げられるボトムレールと、前記ヘッドレールと前記ボトムレールの間に上下方向折りたたみ可能に張設されるスクリーン材と、前記スクリーン材のプリーツピッチを保持するために前記ヘッドレールと前記ボトムレールの間に張設されるピッチキープコードとを備えるプリーツスクリーンにおいて、前記ピッチキープコードは、前記ヘッドレールに取り付けられるコード用ガイドに案内されて前記スクリーン材後面のプリーツ稜線に近接して垂下することを特徴とするピッチキープコード用ガイドを備えるプリーツスクリーン。
【請求項２】
ピッチキープコードは、上端部がヘッドレールの底面又は後面に装着されるコード用端子に止着されることを特徴とする請求項１に記載のピッチキープコード用ガイドを備えるプリーツスクリーン。
【請求項３】
ピッチキープコード用ガイドプは、スクリーン材上端部が接着されてヘッドレールに装着される接着プレートに取り付けられることを特徴とする請求項１又は２に記載のピッチキープコード用ガイドを備えるプリーツスクリーン。
【請求項４】
ヘッドレールと、前記ヘッドレールから中間レール用昇降コードを介して昇降可能に吊り下げられる中間レールと、前記ヘッドレールからボトムレール用昇降コードを介して昇降可能に吊り下げられるボトムレールと、ヘッドレールと中間レールの間に上下方向折りたたみ可能に張設される上側スクリーン材と、前記ヘッドレールと前記ボトムレールの間に上下方向折りたたみ可能に張設される下側スクリーン材と、前記上側スクリーン材のプリーツピッチを保持するために、前記ヘッドレールと前記中間レールの間に張設される上側ピッチキープコードと、前記下側スクリーン材のプリ−ツピッチを保持するために、前記ヘッドレールと前記ボトムレールの間に張設された下側ピッチキープコードとを備えるツインタイプのプリーツスクリーンにおいて、前記ピッチキープコードは、前記ヘッドレール又は前記中間レールに取り付けられるピッチキープコード用ガイドに案内されて前記スクリーン材後面のプリーツ稜線に近接して垂下することを特徴とするピッチキープコード用ガイドを備えるプリーツスクリーン。
【請求項５】
ピッチキープコードは、上端部がヘッドレール又は中間レールの底面又は後面に装着されるコード用端子に止着されることを特徴とする請求項４に記載のピッチキープコード用ガイドを備えるプリーツスクリーン。
【請求項６】
ピッチキープコード用ガイドは、スクリーン材上端部が接着されてヘッドレール又は中間レールに装着される接着プレートに取り付けられることを特徴とする請求項４又は５に記載のピッチキープコード用ガイドを備えるプリーツスクリーン。
【請求項７】
ピッチキープコード用ガイドは、両上端部が左右に延長するＵ字形のワイヤであり、接着プレートの切り欠き溝又は長孔にはめ込まれることを特徴とする請求項３又は６に記載のピッチキープコード用ガイドを備えるプリーツスクリーン。
【請求項８】
ピッチキープコード用ガイドは、長円形の平板状であり、一端部にはガイド孔、他端部には接着プレートの昇降コード孔と同径の取付孔が穿設され、前記昇降コード孔と前記の取付孔を貫通する鳩目を介して前記接着プレートの下面側に取り付けられることを特徴とする請求項３又は６に記載のピッチキープコード用ガイドを備えるプリーツスクリーン。
【請求項９】
コード用端子は、ヘッドレール又は中間レールの底面又は後面の取付溝に弾性的に脱着自在に固定されることを特徴とする請求項２又は５に記載のピッチキープコード用ガイドを備えるプリーツスクリーン。
【請求項１０】
コード用端子は、軸方向に貫通するコード孔と、ヘッドレール又は中間レールの底面又は後面の取付溝の開口に挿通される軸部とを備え、前記軸部は前記開口の内幅よりも小さい短径と大きい長径を有することを特徴とする請求項９に記載のピッチキープコード用ガイドを備えるプリーツスクリーン。
【発明の詳細な説明】
【技術分野】
【０００１】
本発明は、スクリーン材のプリーツピッチを保持するピッチキープコードを案内するためのピッチキープコード用ガイドを備えるプリーツスクリーンに関する。
【背景技術】
【０００２】
シングルタイプのプリーツスクリーンは、ヘッドレールと、そのヘッドレールからボトムレール昇降コードを介して昇降可能に吊り下げられるボトムレールと、ヘッドレールとボトムレールの間に上下方向折りたたみ可能に張設されるスクリーン材と、そのスクリーン材のプリーツピッチを保持するために同じくヘッドレールとボトムレールの間に張設されるピッチキープコードとを備える。
【０００３】
ツインタイプのプリーツスクリーンは、ヘッドレールと、ヘッドレールから中間レール昇降コードを介して昇降可能に吊り下げられるボ中間レールと、同じく、ヘッドレールからボトムレール昇降コードを介して昇降可能に吊り下げられるボトムレールと、ヘッドレールと中間レールの間に上下方向折りたたみ可能に張設される上側スクリーン材と、同じく、ヘッドレールとボトムレールの間に上下方向折りたたみ可能に張設される下側スクリーン材と、上側スクリーン材のプリーツピッチを保持するために、ヘッドレールと中間レールの間に張設される上側ピッチキープコードと、下側スクリーン材のプリ−ツピッチを保持するために、ヘッドレールとボトムレールの間に張設される下側ピッチキープコードとを備える。
【０００４】
ピッチキープコードの上端部は、結び玉又はコード用端子を介してヘッドレール又は中間レールに取着される。結び玉による場合は、始めに、ピッチキープコードをスクリーン材接着プレートに穿設された孔に通して上端部に結び玉を形成し、ついで、その接着プレートをヘッドレール又は中間レールに装着する。コード用端子による場合は、ピッチキープコードの上端部を、ヘッドレール又は中間レールの後面又は底面に装着されたコード用端子に巻き付ける。
【０００５】
上端部がヘッドレール又は中間レールに取着されたピッチキープコードは、スクリーン材の後面側を垂下する。スクリーン材のプリーツピッチを保持するために、ピッチキープコードから所定の間隔で複数の係止ループが突出し、昇降コードはスクリーン材の昇降コード孔と係止ループ内を貫通する。このとき、プリーツキープコードがスクリーン材のプリ−ツ稜線から遠ざかると、係止ループが昇降コードを引き釣り気味になるため、スクリーン材の開閉が不円滑になる。
【０００６】
コード用端子によるピッチキープコード上端部のレールへの取着は、結び玉を形成する取着に比べると、作業は容易であるが、レールの底面又は後面のコード用端子が装着される位置は、スクリーン材後面の真上ではなく、後方へずれるため、ピッチキープコードがスクリーン材の後面から遠ざかり、スクリーン材の開閉性を低下させやすいという問題があった。
【０００７】
ツインタイプのプリーツスクリーンにおいて、コード用端子を中間レールの後面に装着すると、下側ピッチキープコードは、テンションが小さくても、中間レールの重心回りモーメントは比較的大きくなるため、中間レールが後方下側に傾くという問題があった。
【特許文献１】特開２００２−２２０３６７号公報
【発明の開示】
【発明が解決しようとする課題】
【０００８】
本発明は、上記問題を解決するためになされたものであり、その課題は、プリーツスクリーンのピッチキープコードによる開閉性の低下を防止すると共に、ツインタイププリーツスクリーンの中間レールの後傾を防止することである。
【課題を解決するための手段】
【０００９】
前記課題を解決するため、本発明が採用する手段は、シングルタイプのプリーツスクリーン、又はツインタイププリーツスクリーンにおいて、ヘッドレール又は中間レールにピッチキープコード用ガイドを取り付け、そのガイドにより、ピッチキープコードがスクリーン材の後面プリーツの稜線に近接して垂下するように案内することを特徴とする。
【発明の効果】
【００１０】
本発明のプリーツスクリーンは、ヘッドレール又は中間レールに取り付けられたピッチキープコード用ガイドを介して、ピッチキープコードがスクリーン材の後面プリーツ稜線に近接して垂下するように案内するから、ピッチキープコードによりプリーツスクリーンの開閉性が損なわれるおそれは全くない。
【００１１】
又、本発明のツインタイププリーツスクリーンは、下側ピッチキープコードがスクリーン材の後面プリーツ稜線に近接して垂下するから、下側ピッチキープコードのテンションによる中間レール重心回りモーメントは小さく、中間レールが下側ピッチキープコードのテンションにより後傾するおそれはない。
【発明を実施するための最良の形態】
【００１２】
ピッチキープコード用ガイドは、ワイヤ又プレートとし、スクリーン材上端部が接着されてヘッドレール又は中間レールに装着される接着プレートに取り付けることが好ましい。例えば、ピッチキープコード用ガイドを、両上端部が左右に延長するＵ字形のワイヤとし、接着プレートの切り欠き溝又は長孔にはめ込む。
【００１３】
ピッチキープコード用ガイドをプレートとするときは、一端部にガイド孔を、他端部に接着プレートの昇降コード孔と同径の取付孔を形成し、接着プレートの昇降コード孔とガイドの取付孔を貫通する共通の鳩目を介して接着プレートの下面側に取り付けることが好ましい。
【００１４】
ピッチキープコードの上端部は、ヘッドレール又は中間レールの底面又は後面に装着するコード用端子に巻き付けてヘッドレール又は中間レールに取着し、それらのコード用端子を同形同大とすると、ヘッドレールと中間レールへのピッチコード取付作業を共通化す
ることが可能である。
【００１５】
コード用端子には、ピッチキープコードの上端部の巻き付けを容易にするため、軸方向に貫通するコード孔をあけ、ヘッドレール又は中間レールの底面又は後面の取付溝に脱着自在に固定するため、その取付溝の開口に挿通する軸部を設け、その短径を取付溝開口内幅よりも小さく、その長径を取付溝開口内幅よりも大きくすることが好ましい。
【実施例】
【００１６】
本発明を図面に示す実施例に基づいて説明する。図１は、本発明実施例のピッチキープコード用ガイドを備えるツインタイプのプリーツスクリーンの側面図、図２は、図１の中間レールの拡大横断面図、図３は、図２の接着プレートの底面図である。
【００１７】
図１に示すように、ツインタイプのプリーツスクリーンは、ヘッドレール１と、ヘッドレール１から中間レール昇降コード２を介して昇降可能に吊り下げられる中間レール３と、同じく、ヘッドレール１からボトムレール昇降コード４を介して昇降可能に吊り下げられるボトムレール５と、ヘッドレール１と中間レール３の間に上下方向折りたたみ可能に張設される上側スクリーン材６と、同じく、ヘッドレール１とボトムレール５の間に上下方向折りたたみ可能に張設される下側スクリーン材７と、ヘッドレール１と中間レール３の間に張設される上側ピッチキープコード８と、ヘッドレール１とボトムレール５の間に張設される下側ピッチキープコード９とを備える。
【００１８】
中間レール昇降コード２の下端部は、上側スクリーン材６の昇降コード孔を貫通して中間レールの止着され、ボトムレール昇降コード４の下端部は、上側スクリーン材６、中間レール３、下側スクリーン材８の昇降コード孔を順次貫通してボトムレール５に止着される。上側及び下側ピッチキープコード８、９には昇降コード２、４が貫通する複数の係止ループ１０が付設される。複数の係止ループ１０は展開時のスクリ−ン材のプリーツピッチの整数倍の間隔で上下に並び、展開時の上側及び下側スクリーン材６、８のプリーツピッチを保持する。
【００１９】
上側ピッチキープコード８の上端部は、ヘッドレール１の背面の取付溝２６に装着されたコード用端子１１に、上側ピッチキープコード８の下端部と下側ピッチキープコード９の上端部は、中間レール２の背面の取付溝２７に装着されたコード用端子１２に、下側ピッチキープコード９の下端部は、ボトムレール３の背面の取付溝２８に装着されたコード用端子１３に、それぞれ巻き付け固定される。３つのコード用端子１１、１２、１３は同形同大であり、それぞれ弾性的に取付溝２６、２７、２８に脱着自在に固定される。
【００２０】
ヘッドレール１には上側スクリーン材６の上端部が接着される接着プレート１４を介してピッチキープ用ガイド１５を取り付ける。そのガイド１５に上側ピッチキープコード８を掛け、上側ピッチキープコード８が上側スクリーン材６後面のプリーツ稜線に近接して下降するように案内する。、
【００２１】
中間ヘッドレール３には下側スクリーン材７の上端部が接着される接着プレート１６を介してピッチキープ用ガイド１７を取り付ける。そのガイド１７に下側ピッチキープコード９を掛け、下側ピッチキープコード９が下側スクリーン材７後面のプリーツ稜線に近接して下降するように案内する。中間レール３の接着プレート１６とガイド１７と、ヘッドレール１の接着プレート１４とガイド１５は、同形同大である。
【００２２】
図２及び図３に示すように、ガイド１７は両上端部が左右に延長するＵ字形のワイヤであり、接着プレート１６の前面の切り欠き溝１８に弾性的にはめ込まれる。ガイド１７の両上端部は、接着プレート１６の上面に支持され、斜め後方に延長する後端部は、接着プレート１６の下側において下側スクリーン材７のプリーツ後側稜線の略真上に位置する。ガイド１７の後端部に通された下側ピッチキープコード９は、下側スクリーン材７のプリーツ後側稜線に近接して垂下する。
【００２３】
図１及び図２に示すように、ピッチキープコード９は、スクリーン材７のプリーツ後側稜線に近接するから、そのピッチキープコード９から延長する係止ループ１０が内部を貫通する昇降コード４と引き釣り気味に係合してスクリーン材７の開閉が不円滑になるおそれは全くない。又、ピッチキープコード９を下方に引くテンションの作用線は中間レール３の重心に比較的近く、そのため回転モーメントも比較的小さいから、ピッチキープコード９のテンションにより中間レール３が後傾するおそれは全くない。
【００２４】
図２に示すように、コード端子１２は軸方向に貫通するコード孔２９と、取付溝２７の開口と係合する軸部３０と、取付溝２７の外部に位置する外端部３１と、取付溝２７の内部に位置する内端部３１とを備える。軸部３０は取付溝２７の開口内幅よりも少し小さい短径と少し大きい長径を有し、所定角度、例えば９０度回転すると開口に弾性的に固定し、逆転すると開口と分離する。外端部３１は取付溝２７に挿入不能な大きさである。内端部３２は取付溝２７の開口内幅よりも小さい短径と大きい長径を有し、その短径方向は、軸部３０の長径方向と一致する。ピッチキープコード９の上端部は、コード端子１２のコード孔２９に通して軸部３０に巻き付けられる。
【００２５】
次に、別の実施例について説明する。図４は別の実施例の図２に相当する図、図５は、図４の接着プレートの底面図である。図４及び図５に示すように、前記実施例と同様に、ガイド１９は両上端部が左右に延長するＵ字形のワイヤであるが、前記実施例とは異なり、接着プレート１６の長孔２０に挿入される。上記以外の構成及び効果は、前記実施例と同じである。
【００２６】
次に、さらに別の実施例について説明する。図６はさらに別の実施例の図２に相当する図であり、図７は、図６の接着プレートの底面図である。図６及び図７に示すように、ガイド２１は、長円形の平板状であり、一端部にはガイド孔２２が、他端部には接着プレート１６の昇降コード孔２３と同径の取付孔２４が穿設される。このガイド２１は、接着プレート１６昇降コード孔２３とガイド２１の取付孔２４に嵌る鳩目２５を介して接着プレート１６の下面側に取り付けられる。ガイド２１が接着プレート１６に取り付けられたとき、ガイド孔２２は下側スクリーン材７のプリーツ後側稜線の略真上に位置するから、ガイド孔２２を通過するピッチキープコード９は、スクリーン材７のプリーツ後側稜線に近接して垂下する。上記以外の構成及び効果は、先に述べた実施例と同じである。
【図面の簡単な説明】
【００２７】
【図１】本発明実施例のピッチキープコード用ガイドを備えるツインタイププリーツスクリーンの側面図、
【図２】図１の中間レールの拡大縦断面図、
【図３】図２の接着プレートの底面図、
【図４】別の実施例の図２に相当する図、
【図５】図４の接着プレートの底面図、
【図６】さらに別の実施例の図２に相当する図、
【図７】図６４の接着プレートの底面図。
【符号の説明】
【００２８】
１：ヘッドレール
２：昇降コード（中間レール用）
３：中間レール
４：昇降コード（ボトムレール用）
５：ボトムレール
６：スクリーン材（上側）
７：スクリーン材（下側）ピッチ保持コード（上側）
８：ピッチキープコード（上側）
９：ピッチキープコード（下側）
１０：係止ループ
１１、１２、１３：コード用端子
１４：接着プレート
１５：ガイド
１６：接着プレート
１７：ガイド
１８：切り欠き溝
１９：ガイド
２０：長孔
２１：ガイド
２２：ガイド孔
２３：昇降コード孔
２４：取付孔
２５：鳩目
２６、２７、２８：取付溝
２９：コード孔
３０：軸部
３１：外端部
３２：内端部
【図１】
2005336824.tif 000003
【図２】
2005336824.tif 000004
【図３】
2005336824.tif 000005
【図４】
2005336824.tif 000006
【図５】
2005336824.tif 000007
【図６】
2005336824.tif 000008
【図７】
2005336824.tif 000009